(57)【要約】【課題】本発明はマウスパッドの固定と調節装置を開示した。【解決手段】主体を含み、前記主体の中には巻き装置が設置され、前記主体の下側には固定装置が設置され、前記巻き装置の上側には切換装置が設置され、前記巻き装置の右側には調節装置が設置され、前記巻き装置はマウスパッドを巻く長さを制御し、また前記マウスパッド一端をきつく挟んで長さを固定することができ、前記固定装置は本装置をデスクに固定し、デスクの厚さによって調節を行え、前記切換装置は前記マウスパッドを挟む程度を制御し、同時に前記調節装置を切り換えて制御し、前記調節装置の中のつまみは前記巻き装置と前記固定装置とを調節することができる。【選択図】図１
2020177624.tif 000002
【特許請求の範囲】
【請求項１】
正面視で、主体を含み、前記主体の中には巻き装置が設置され、前記主体の下側には固定装置が設置され、前記巻き装置の上側には切換装置が設置され、前記巻き装置の右側には調節装置が設置され、前記巻き装置はマウスパッドを巻く長さを制御し、また前記マウスパッド一端をきつく挟んで長さを固定することができ、前記固定装置は本装置をデスクに固定し、デスクの厚さによって調節を行え、前記切換装置は前記マウスパッドを挟む程度を制御し、同時に前記調節装置を切り換えて制御し、前記調節装置の中のつまみは前記巻き装置と前記固定装置とを調節することができ、前記主体の中には巻きチャンバが設置され、前記マウスパッドは前記巻きチャンバの中に収納されることができ、前記主体の下端には固定板が固定的に設置され、前記固定装置が前記固定板に設置され、前記切換装置によって前記調節装置が前記巻き装置と前記固定装置との連結を切り換え、前記調節装置によって前記巻き装置又は前記固定装置を調節することを特徴とするマウスパッドの固定と調節装置。
【請求項２】
前記巻き装置は前記巻きチャンバの中に回転できるように設置された巻き輪を含み、前記マウスパッドの一端が前記巻き輪に巻き付いており、前記巻きチャンバの下側には前記巻きチャンバの前後壁に回転できるように連結された方向ガイド輪が設置され、前記巻きチャンバの下側には左方に開口した伸縮チャンバが連通するように設置され、前記マウスパッドのもう一端が外部空間に伸びており、また前記マウスパッドのもう一端には止め板が固定的に連結され、前記伸縮チャンバの上側には押しロッドチャンバが連通するように設置され、前記押しロッドチャンバの中には押しロッドがスライドできるように設置され、前記押しロッドの上端にはスライドロッドが固定的に連結され、前記巻きチャンバの後側には噛み合いチャンバが設置され、前記噛み合いチャンバの中には前記巻き輪に動力が伝達できるように連結された従動スパーギヤが回転できるように設置され、前記従動スパーギヤ―の右端には主動スパーギヤが設置され、前記従動スパーギヤによって前記マウスパッドを巻き、前記押しロッドによって前記マウスパッドをきつく挟んで固定することを特徴とする請求項１に記載のマウスパッドの固定と調節装置。
【請求項３】
前記固定装置は前記固定板の上端面の中に左右対称的に設置され、且つ上方に開口したスライドチャンバを含み、前記スライドチャンバの中にはネジロッドが回転できるように設置され、前記ネジロッドのうち二つの前記スライドチャンバの中の部分のネジ山の方向が逆であり、前記スライドチャンバの中には前記ネジロッドにネジ山によって連結されたスライドブロックが設置され、前記スライドブロックの上端には昇降ロッドが回転できるように連結され、前記固定ブロックの上側には挟み板が設置され、前記昇降ロッドの上端が交差しており、且つ前記挟み板の下壁に回転できるように連結され、前記昇降ロッドの交差の部分は回転できるように連結され、前記固定板の右側のうち前記主体の中に位置しているところの中にはプーリチャンバが設置され、前記ネジロッドの右端が前記プーリチャンバの中に伸びており、また前記ネジロッドの右端には従動プーリが固定的に連結され、前記従動プーリの上側には主動プーリが回転できるように設置され、前記従動プーリと前記主動プーリとの間には伝動ベルトが巻き付くように設置され、前記主体がデスクに置かれ、前記挟み板が上昇してデスクの下端をきつく挟み、更に本装置を固定することを特徴とする請求項１に記載のマウスパッドの固定と調節装置。
【請求項４】
前記切換装置は前記巻きチャンバの上側に設置された制御チャンバを含み、前記制御チャンバの中には梃子が回転できるように設置され、前記制御チャンバの左側には昇降チャンバが連通するように設置され、前記昇降チャンバの中には前記スライドロッドの上端に固定的に連結された昇降ブロックが設置され、前記梃子の左端が前記昇降ブロックの上端面と当接しており、前記昇降ブロックの下端と前記昇降チャンバの下壁には圧縮バネが固定的に連結され、前記梃子の右側にはカムが設置され、前記カムの上端には回転軸が固定的に連結され、前記回転軸の上端が外部空間に伸びており、且つ前記回転軸の上端には回転盤が固定的に連結され、前記カムの中には環状スライドレールが設置され、前記環状スライドレールの中にはスライドボールがスライドできるように設置され、前記スライドボールの一端には固定ロッドが固定的に連結され、前記制御チャンバの右側にはコンロッドチャンバが設置され、前記コンロッドチャンバの中には主動ロッドが設置され、前記主動ロッドの左端が前記固定ロッドに固定的に連結され、前記主動ロッドの右端にはコンロッドがヒンジで連結され、前記コンロッドの下端には昇降板がヒンジで連結され、前記回転盤によって前記カムを回転連動させることを特徴とする請求項１に記載のマウスパッドの固定と調節装置。
【請求項５】
前記調節装置は前記コンロッドチャンバの下側に設置された切換チャンバを含み、前記昇降板の下端が前記切換チャンバの中に伸びており、また前記昇降板の下端には同期軸が回転できるように設置され、前記同期軸の左端には動力はすば歯車が固定的に設置され、前記動力はすば歯車の上側には前記主動スパーギヤに動力が伝達できるように連結された伝動はすば歯車が設置され、前記同期軸の右端には動力スパーギヤが固定的に設置され、前記切換チャンバの下側には歯車チャンバが連通するように設置され、前記歯車チャンバの中には前記主動プーリに動力が伝達できるように連結された伝動スパーギヤが回転できるように設置され、前記切換チャンバの右側には開口が連通するように設置され、前記動力スパーギヤの右端には動力軸が固定的に連結され、前記動力軸の右端が外部空間に伸びており、且つ前記つまみに固定的に連結され、前記昇降板を昇降させることによって異なる歯車の間の噛み合いを切り換え、前記つまみを回して前記挟み板の上昇の高度と前記マウスパッドの長さを調節することを特徴とする請求項１に記載のマウスパッドの固定と調節装置。
【発明の詳細な説明】
【技術分野】
【０００１】
本発明は生活用品技術分野に関わり、具体的にはマウスパッドの固定と調節装置である。
【背景技術】
【０００２】
パソコンを使う時に楽なニーズに応じて自らマウスパッドを持つ人がいる。異なる場合で使うことができ、しかし、今のマウスパッドが大きれば大きくなり、それを直接に持つのは非常に不便であり、したがって、マウスパッドの固定と調節装置を強く求めており、本装置はマウスパッドを収納と装着でき、またマウスパッドの長さも調節できる。
【先行技術文献】
【特許文献】
【０００３】
【特許文献１】中国特許出願公開第１０７４６３２８３号明細書
【発明の概要】
【発明が解決しようとする課題】
【０００４】
本発明はマウスパッドの固定と調節装置を提供し、既存技術にある上記欠点を解消することを目的とする。
【課題を解決するための手段】
【０００５】
本発明の実施例のマウスパッドの固定と調節装置は、主体を含み、前記主体の中には巻き装置が設置され、前記主体の下側には固定装置が設置され、前記巻き装置の上側には切換装置が設置され、前記巻き装置の右側には調節装置が設置され、前記巻き装置はマウスパッドを巻く長さを制御し、また前記マウスパッド一端をきつく挟んで長さを固定することができ、前記固定装置は本装置をデスクに固定し、デスクの厚さによって調節を行え、前記切換装置は前記マウスパッドを挟む程度を制御し、同時に前記調節装置を切り換えて制御し、前記調節装置の中のつまみは前記巻き装置と前記固定装置とを調節することができ、前記主体の中には巻きチャンバが設置され、前記マウスパッドは前記巻きチャンバの中に収納されることができ、前記主体の下端には固定板が固定的に設置され、前記固定装置が前記固定板に設置され、前記切換装置によって前記調節装置が前記巻き装置と前記固定装置との連結を切り換え、前記調節装置によって前記巻き装置又は前記固定装置を調節する。
【０００６】
さらなる技術プランには、前記巻き装置は前記巻きチャンバの中に回転できるように設置された巻き輪を含み、前記マウスパッドの一端が前記巻き輪に巻き付いており、前記巻きチャンバの下側には前記巻きチャンバの前後壁に回転できるように連結された方向ガイド輪が設置され、前記巻きチャンバの下側には左方に開口した伸縮チャンバが連通するように設置され、前記マウスパッドのもう一端が外部空間に伸びており、また前記マウスパッドのもう一端には止め板が固定的に連結され、前記伸縮チャンバの上側には押しロッドチャンバが連通するように設置され、前記押しロッドチャンバの中には押しロッドがスライドできるように設置され、前記押しロッドの上端にはスライドロッドが固定的に連結され、前記巻きチャンバの後側には噛み合いチャンバが設置され、前記噛み合いチャンバの中には前記巻き輪に動力が伝達できるように連結された従動スパーギヤが回転できるように設置され、前記従動スパーギヤ―の右端には主動スパーギヤが設置され、前記従動スパーギヤによって前記マウスパッドを巻き、前記押しロッドによって前記マウスパッドをきつく挟んで固定する。
【０００７】
さらなる技術プランには、前記固定装置は前記固定板の上端面の中に左右対称的に設置され、且つ上方に開口したスライドチャンバを含み、前記スライドチャンバの中にはネジロッドが回転できるように設置され、前記ネジロッドのうち二つの前記スライドチャンバの中の部分のネジ山の方向が逆であり、前記スライドチャンバの中には前記ネジロッドにネジ山によって連結されたスライドブロックが設置され、前記スライドブロックの上端には昇降ロッドが回転できるように連結され、前記固定ブロックの上側には挟み板が設置され、前記昇降ロッドの上端が交差しており、且つ前記挟み板の下壁に回転できるように連結され、前記昇降ロッドの交差の部分は回転できるように連結され、前記固定板の右側のうち前記主体の中に位置しているところの中にはプーリチャンバが設置され、前記ネジロッドの右端が前記プーリチャンバの中に伸びており、また前記ネジロッドの右端には従動プーリが固定的に連結され、前記従動プーリの上側には主動プーリが回転できるように設置され、前記従動プーリと前記主動プーリとの間には伝動ベルトが巻き付くように設置され、前記主体がデスクに置かれ、前記挟み板が上昇してデスクの下端をきつく挟み、更に本装置を固定する。
【０００８】
さらなる技術プランには、前記切換装置は前記巻きチャンバの上側に設置された制御チャンバを含み、前記制御チャンバの中には梃子が回転できるように設置され、前記制御チャンバの左側には昇降チャンバが連通するように設置され、前記昇降チャンバの中には前記スライドロッドの上端に固定的に連結された昇降ブロックが設置され、前記梃子の左端が前記昇降ブロックの上端面と当接しており、前記昇降ブロックの下端と前記昇降チャンバの下壁には圧縮バネが固定的に連結され、前記梃子の右側にはカムが設置され、前記カムの上端には回転軸が固定的に連結され、前記回転軸の上端が外部空間に伸びており、且つ前記回転軸の上端には回転盤が固定的に連結され、前記カムの中には環状スライドレールが設置され、前記環状スライドレールの中にはスライドボールがスライドできるように設置され、前記スライドボールの一端には固定ロッドが固定的に連結され、前記制御チャンバの右側にはコンロッドチャンバが設置され、前記コンロッドチャンバの中には主動ロッドが設置され、前記主動ロッドの左端が前記固定ロッドに固定的に連結され、前記主動ロッドの右端にはコンロッドがヒンジで連結され、前記コンロッドの下端には昇降板がヒンジで連結され、前記回転盤によって前記カムを回転連動させる。
【０００９】
さらなる技術プランには、前記調節装置は前記コンロッドチャンバの下側に設置された切換チャンバを含み、前記昇降板の下端が前記切換チャンバの中に伸びており、また前記昇降板の下端には同期軸が回転できるように設置され、前記同期軸の左端には動力はすば歯車が固定的に設置され、前記動力はすば歯車の上側には前記主動スパーギヤに動力が伝達できるように連結された伝動はすば歯車が設置され、前記同期軸の右端には動力スパーギヤが固定的に設置され、前記切換チャンバの下側には歯車チャンバが連通するように設置され、前記歯車チャンバの中には前記主動プーリに動力が伝達できるように連結された伝動スパーギヤが回転できるように設置され、前記切換チャンバの右側には開口が連通するように設置され、前記動力スパーギヤの右端には動力軸が固定的に連結され、前記動力軸の右端が外部空間に伸びており、且つ前記つまみに固定的に連結され、前記昇降板を昇降させることによって異なる歯車の間の噛み合いを切り換え、前記つまみを回して前記挟み板の上昇の高度と前記マウスパッドの長さを調節する。
【発明の効果】
【００１０】
本発明の有益な効果は：本発明は構成が簡単で、操作が便利であり、本装置を利用してマウスパッドを収納することができ、それと同時にマウスパッドを調節してデスクに取り付けることができ、またニーズに応じてマウスパッドの長さを調節できる。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のマウスパッドの固定と調節装置の内部全体構成概略図
【図２】図２は図１の中の「Ａ―Ａ」方向の構成概略図
【図３】図３は図１の中の「Ｂ」の拡大概略図
【図４】図４は図１の中の「Ｃ」の拡大概略図
【発明を実施するための形態】
【００１３】
図１〜４を参照し、本発明の実施例のマウスパッドの固定と調節装置は、主体１１を含み、前記主体１１の中には巻き装置１０１が設置され、前記主体１１の下側には固定装置１０２が設置され、前記巻き装置１０１の上側には切換装置１０３が設置され、前記巻き装置１０１の右側には調節装置１０４が設置され、前記巻き装置１０１はマウスパッド１２を巻く長さを制御し、また前記マウスパッド１２一端をきつく挟んで長さを固定することができ、前記固定装置１０２は本装置をデスクに固定し、デスクの厚さによって調節を行え、前記切換装置１０３は前記マウスパッド１２を挟む程度を制御し、同時に前記調節装置１０４を切り換えて制御し、前記調節装置１０４の中のつまみ１３は前記巻き装置１０１と前記固定装置１０２とを調節することができ、前記主体１１の中には巻きチャンバ１４が設置され、前記マウスパッド１２は前記巻きチャンバ１４の中に収納されることができ、前記主体１１の下端には固定板１５が固定的に設置され、前記固定装置１０２が前記固定板１５に設置され、前記切換装置１０３によって前記調節装置１０４が前記巻き装置１０１と前記固定装置１０２との連結を切り換え、前記調節装置１０４によって前記巻き装置１０１又は前記固定装置１０２を調節する。
【００１４】
有益なように、前記巻き装置１０１は前記巻きチャンバ１４の中に回転できるように設置された巻き輪１６を含み、前記マウスパッド１２の一端が前記巻き輪１６に巻き付いており、前記巻きチャンバ１４の下側には前記巻きチャンバ１４の前後壁に回転できるように連結された方向ガイド輪１７が設置され、前記巻きチャンバ１４の下側には左方に開口した伸縮チャンバ１８が連通するように設置され、前記マウスパッド１２のもう一端が外部空間に伸びており、また前記マウスパッド１２のもう一端には止め板１９が固定的に連結され、前記伸縮チャンバ１８の上側には押しロッドチャンバ２０が連通するように設置され、前記押しロッドチャンバ２０の中には押しロッド２１がスライドできるように設置され、前記押しロッド２１の上端にはスライドロッド２２が固定的に連結され、前記巻きチャンバ１４の後側には噛み合いチャンバ２３が設置され、前記噛み合いチャンバ２３の中には前記巻き輪１６に動力が伝達できるように連結された従動スパーギヤ２４が回転できるように設置され、前記従動スパーギヤ―２４の右端には主動スパーギヤ２６が設置され、前記従動スパーギヤ２４によって前記マウスパッド１２を巻き、前記押しロッド２１によって前記マウスパッド１２をきつく挟んで固定する。
【００１５】
有益なように、前記固定装置１０２は前記固定板１５の上端面の中に左右対称的に設置され、且つ上方に開口したスライドチャンバ２７を含み、前記スライドチャンバ２７の中にはネジロッド２８が回転できるように設置され、前記ネジロッド２８のうち二つの前記スライドチャンバ２７の中の部分のネジ山の方向が逆であり、前記スライドチャンバ２７の中には前記ネジロッド２８にネジ山によって連結されたスライドブロック２９が設置され、前記スライドブロック２９の上端には昇降ロッド３０が回転できるように連結され、前記固定ブロック１５の上側には挟み板３１が設置され、前記昇降ロッド３０の上端が交差しており、且つ前記挟み板３１の下壁に回転できるように連結され、前記昇降ロッド３０の交差の部分は回転できるように連結され、前記固定板１５の右側のうち前記主体１１の中に位置しているところの中にはプーリチャンバ３２が設置され、前記ネジロッド２８の右端が前記プーリチャンバ３２の中に伸びており、また前記ネジロッド２８の右端には従動プーリ３３が固定的に連結され、前記従動プーリ３３の上側には主動プーリ３４が回転できるように設置され、前記従動プーリ３３と前記主動プーリ３４との間には伝動ベルト３５が巻き付くように設置され、前記主体１１がデスクに置かれ、前記挟み板３１が上昇してデスクの下端をきつく挟み、更に本装置を固定する。
【００１６】
有益なように、前記切換装置１０３は前記巻きチャンバ１４の上側に設置された制御チャンバ３６を含み、前記制御チャンバ３６の中には梃子３７が回転できるように設置され、前記制御チャンバ３６の左側には昇降チャンバ３８が連通するように設置され、前記昇降チャンバ３８の中には前記スライドロッド２２の上端に固定的に連結された昇降ブロック３９が設置され、前記梃子３７の左端が前記昇降ブロック３９の上端面と当接しており、前記昇降ブロック３９の下端と前記昇降チャンバ３８の下壁には圧縮バネ４０が固定的に連結され、前記梃子３７の右側にはカム４１が設置され、前記カム４１の上端には回転軸４２が固定的に連結され、前記回転軸４２の上端が外部空間に伸びており、且つ前記回転軸４２の上端には回転盤４３が固定的に連結され、前記カム４１の中には環状スライドレール４４が設置され、前記環状スライドレール４４の中にはスライドボール４６がスライドできるように設置され、前記スライドボール４６の一端には固定ロッド４７が固定的に連結され、前記制御チャンバ３６の右側にはコンロッドチャンバ４８が設置され、前記コンロッドチャンバ４８の中には主動ロッド４９が設置され、前記主動ロッド４９の左端が前記固定ロッド４７に固定的に連結され、前記主動ロッド４９の右端にはコンロッド５０がヒンジで連結され、前記コンロッド５０の下端には昇降板５１がヒンジで連結され、前記回転盤４３によって前記カム４１を回転連動させる。
【００１７】
有益なように、前記調節装置１０４は前記コンロッドチャンバ４８の下側に設置された切換チャンバ５２を含み、前記昇降板５１の下端が前記切換チャンバ５２の中に伸びており、また前記昇降板５１の下端には同期軸５３が回転できるように設置され、前記同期軸５３の左端には動力はすば歯車５４が固定的に設置され、前記動力はすば歯車５４の上側には前記主動スパーギヤ２６に動力が伝達できるように連結された伝動はすば歯車５５が設置され、前記同期軸５３の右端には動力スパーギヤ５６が固定的に設置され、前記切換チャンバ５２の下側には歯車チャンバ５７が連通するように設置され、前記歯車チャンバ５７の中には前記主動プーリ３４に動力が伝達できるように連結された伝動スパーギヤ５８が回転できるように設置され、前記切換チャンバ５２の右側には開口５９が連通するように設置され、前記動力スパーギヤ５６の右端には動力軸６０が固定的に連結され、前記動力軸６０の右端が外部空間に伸びており、且つ前記つまみ１３に固定的に連結され、前記昇降板５１を昇降させることによって異なる歯車の間の噛み合いを切り換え、前記つまみ１３を回して前記挟み板３１の上昇の高度と前記マウスパッド１２の長さを調節する。
【００１８】
初期状態にある時、昇降板５１が中間の位置にしており、動力はすば歯車５４と伝動はすば歯車５５とが噛み合っており、動力スパーギヤ５６と伝動スパーギヤ５８とが噛み合っておらず、主動ロッド４９が中間の位置にある。
【００１９】
使用の時、主体１１をデスクに置き、挟み板３１をデスクの下側に置き、回転盤４３を回転させ、この時にカム４１の突き出た部分が主動ロッド４９と当接し、また主動ロッド４９を押し動かして右方へ移動させ、コンロッド５０によって昇降板５１を下方へ動力スパーギヤ５６と伝動スパーギヤ５８と噛み合うまで移動連動させ、つまみ１３を回し、動力スパーギヤ５６と動力はすば歯車５４とを回転連動させ、この時に伝動スパーギヤ５８が回転し、且つ主動プーリ３４を回転連動させ、伝動ベルト３５によって従動プーリ３３を回転連動させ、またネジロッド２８を回転連動させ、ねじ山による連結を通してスライドブロック２９を連動させて互いに近づかせ、昇降ロッド３０が挟み板３１をデスクの下端をきつく挟むまで上昇連動させ、止め板１９を引き動かしてマウスパッド１２を所要の長さまで引き出し、回転盤４３を回転させ、この時にカム４１の突き出た部分が左端に回転し、また梃子３７の右端を押し動かして上方へ回転させ、この時に梃子３７の左端が下方へ反転し、また昇降ブロック３９を押し動かして下方へ移動させ、この時に押しロッド２１が下方へ移動してマウスパッド１２をきつく挟み、マウスパッドを収納する時、初期状態の下でつまみ１３を回転させ、動力はすば歯車５４が伝動はすば歯車５５を回転連動させ、また主動スパーギヤ２６を回転連動させ、従動スパーギヤ２４を回転連動させ、また巻き輪１６を回転連動させ、マウスパッド１２を巻く。
【００２０】
本発明の有益な効果は：本発明は構成が簡単で、操作が便利であり、本装置を利用してマウスパッドを収納することができ、それと同時にマウスパッドを調節してデスクに取り付けることができ、またニーズに応じてマウスパッドの長さを調節できる。
【００２１】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020177624.tif 000003
【図２】
2020177624.tif 000004
【図３】
2020177624.tif 000005
【図４】
2020177624.tif 000006
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
正面視で、主体を含み、前記主体の中には巻き装置が設置され、前記主体の下側には固定装置が設置され、前記巻き装置の上側には切換装置が設置され、前記巻き装置の右側には調節装置が設置され、前記巻き装置はマウスパッドを巻く長さを制御し、また前記マウスパッド一端をきつく挟んで長さを固定することができ、前記固定装置は本装置をデスクに固定し、デスクの厚さによって調節を行え、前記切換装置は前記マウスパッドを挟む程度を制御し、同時に前記調節装置を切り換えて制御し、前記調節装置の中のつまみは前記巻き装置と前記固定装置とを調節することができ、前記主体の中には巻きチャンバが設置され、前記マウスパッドは前記巻きチャンバの中に収納されることができ、前記主体の下端には固定板が固定的に設置され、前記固定装置が前記固定板に設置され、前記切換装置によって前記調節装置が前記巻き装置と前記固定装置との連結を切り換え、前記調節装置によって前記巻き装置又は前記固定装置を調節することを特徴とするマウスパッドの固定と調節装置。
【請求項２】
前記巻き装置は前記巻きチャンバの中に回転できるように設置された巻き輪を含み、前記マウスパッドの一端が前記巻き輪に巻き付いており、前記巻きチャンバの下側には前記巻きチャンバの前後壁に回転できるように連結された方向ガイド輪が設置され、前記巻きチャンバの下側には左方に開口した伸縮チャンバが連通するように設置され、前記マウスパッドのもう一端が外部空間に伸びており、また前記マウスパッドのもう一端には止め板が固定的に連結され、前記伸縮チャンバの上側には押しロッドチャンバが連通するように設置され、前記押しロッドチャンバの中には押しロッドがスライドできるように設置され、前記押しロッドの上端にはスライドロッドが固定的に連結され、前記巻きチャンバの後側には噛み合いチャンバが設置され、前記噛み合いチャンバの中には前記巻き輪に動力が伝達できるように連結された従動スパーギヤが回転できるように設置され、前記従動スパーギヤの右端には主動スパーギヤが設置され、前記従動スパーギヤによって前記マウスパッドを巻き、前記押しロッドによって前記マウスパッドをきつく挟んで固定することを特徴とする請求項１に記載のマウスパッドの固定と調節装置。
【請求項３】
前記固定装置は前記固定板の上端面の中に左右対称的に設置され、且つ上方に開口したスライドチャンバを含み、前記スライドチャンバの中にはネジロッドが回転できるように設置され、前記ネジロッドのうち二つの前記スライドチャンバの中の部分のネジ山の方向が逆であり、前記スライドチャンバの中には前記ネジロッドにネジ山によって連結されたスライドブロックが設置され、前記スライドブロックの上端には昇降ロッドが回転できるように連結され、前記固定板の上側には挟み板が設置され、二本の前記昇降ロッドの上端が互いに交差しており、かつそれぞれ前記挟み板の下壁に回転できるように連結され、前記昇降ロッドの交差の部分は回転できるように連結され、前記固定板の右側のうち前記主体の中に位置しているところの中にはプーリチャンバが設置され、前記ネジロッドの右端が前記プーリチャンバの中に伸びており、また前記ネジロッドの右端には従動プーリが固定的に連結され、前記従動プーリの上側には主動プーリが回転できるように設置され、前記従動プーリと前記主動プーリとの間には伝動ベルトが巻き付くように設置され、前記主体がデスクに置かれ、前記挟み板が上昇してデスクの下端をきつく挟み、更に本装置を固定することを特徴とする請求項１に記載のマウスパッドの固定と調節装置。
【請求項４】
前記切換装置は前記巻きチャンバの上側に設置された制御チャンバを含み、前記制御チャンバの中には梃子が回転できるように設置され、前記制御チャンバの左側には昇降チャンバが連通するように設置され、前記昇降チャンバの中には前記スライドロッドの上端に固定的に連結された昇降ブロックが設置され、前記梃子の左端が前記昇降ブロックの上端面と当接しており、前記昇降ブロックの下端と前記昇降チャンバの下壁には圧縮バネが固定的に連結され、前記梃子の右側にはカムが設置され、前記カムの上端には回転軸が固定的に連結され、前記回転軸の上端が外部空間に伸びており、且つ前記回転軸の上端には回転盤が固定的に連結され、前記カムの中には環状スライドレールが設置され、前記環状スライドレールの中にはスライドボールがスライドできるように設置され、前記スライドボールの一端には固定ロッドが固定的に連結され、前記制御チャンバの右側にはコンロッドチャンバが設置され、前記コンロッドチャンバの中には主動ロッドが設置され、前記主動ロッドの左端が前記固定ロッドに固定的に連結され、前記主動ロッドの右端にはコンロッドがヒンジで連結され、前記コンロッドの下端には昇降板がヒンジで連結され、前記回転盤によって前記カムを回転連動させることを特徴とする請求項１に記載のマウスパッドの固定と調節装置。
【請求項５】
前記調節装置は前記コンロッドチャンバの下側に設置された切換チャンバを含み、前記昇降板の下端が前記切換チャンバの中に伸びており、また前記昇降板の下端には同期軸が回転できるように設置され、前記同期軸の左端には動力はすば歯車が固定的に設置され、前記動力はすば歯車の上側には前記主動スパーギヤに動力が伝達できるように連結された伝動はすば歯車が設置され、前記同期軸の右端には動力スパーギヤが固定的に設置され、前記切換チャンバの下側には歯車チャンバが連通するように設置され、前記歯車チャンバの中には前記主動プーリに動力が伝達できるように連結された伝動スパーギヤが回転できるように設置され、前記切換チャンバの右側には開口が連通するように設置され、前記動力スパーギヤの右端には動力軸が固定的に連結され、前記動力軸の右端が外部空間に伸びており、且つ前記つまみに固定的に連結され、前記昇降板を昇降させることによって異なる歯車の間の噛み合いを切り換え、前記つまみを回して前記挟み板の上昇の高度と前記マウスパッドの長さを調節することを特徴とする請求項１に記載のマウスパッドの固定と調節装置。
【手続補正２】
【補正対象書類名】明細書
【補正対象項目名】全文
【補正方法】変更
【補正の内容】
【発明の詳細な説明】
【技術分野】
【０００１】
本発明は生活用品技術分野に関わり、具体的にはマウスパッドの固定と調節装置である。
【背景技術】
【０００２】
パソコンを使う時に楽なニーズに応じて自らマウスパッドを持つ人がいる。異なる場合で使うことができ、しかし、今のマウスパッドが大きれば大きくなり、それを直接に持つのは非常に不便であり、したがって、マウスパッドの固定と調節装置を強く求めており、本装置はマウスパッドを収納と装着でき、またマウスパッドの長さも調節できる。
【先行技術文献】
【特許文献】
【０００３】
【特許文献１】中国特許出願公開第１０７４６３２８３号明細書
【発明の概要】
【発明が解決しようとする課題】
【０００４】
本発明はマウスパッドの固定と調節装置を提供し、既存技術にある上記欠点を解消することを目的とする。
【課題を解決するための手段】
【０００５】
本発明の実施例のマウスパッドの固定と調節装置は、主体を含み、前記主体の中には巻き装置が設置され、前記主体の下側には固定装置が設置され、前記巻き装置の上側には切換装置が設置され、前記巻き装置の右側には調節装置が設置され、前記巻き装置はマウスパッドを巻く長さを制御し、また前記マウスパッド一端をきつく挟んで長さを固定することができ、前記固定装置は本装置をデスクに固定し、デスクの厚さによって調節を行え、前記切換装置は前記マウスパッドを挟む程度を制御し、同時に前記調節装置を切り換えて制御し、前記調節装置の中のつまみは前記巻き装置と前記固定装置とを調節することができ、前記主体の中には巻きチャンバが設置され、前記マウスパッドは前記巻きチャンバの中に収納されることができ、前記主体の下端には固定板が固定的に設置され、前記固定装置が前記固定板に設置され、前記切換装置によって前記調節装置が前記巻き装置と前記固定装置との連結を切り換え、前記調節装置によって前記巻き装置又は前記固定装置を調節する。
【０００６】
さらなる技術プランには、前記巻き装置は前記巻きチャンバの中に回転できるように設置された巻き輪を含み、前記マウスパッドの一端が前記巻き輪に巻き付いており、前記巻きチャンバの下側には前記巻きチャンバの前後壁に回転できるように連結された方向ガイド輪が設置され、前記巻きチャンバの下側には左方に開口した伸縮チャンバが連通するように設置され、前記マウスパッドのもう一端が外部空間に伸びており、また前記マウスパッドのもう一端には止め板が固定的に連結され、前記伸縮チャンバの上側には押しロッドチャンバが連通するように設置され、前記押しロッドチャンバの中には押しロッドがスライドできるように設置され、前記押しロッドの上端にはスライドロッドが固定的に連結され、前記巻きチャンバの後側には噛み合いチャンバが設置され、前記噛み合いチャンバの中には前記巻き輪に動力が伝達できるように連結された従動スパーギヤが回転できるように設置され、前記従動スパーギヤの右端には主動スパーギヤが設置され、前記従動スパーギヤによって前記マウスパッドを巻き、前記押しロッドによって前記マウスパッドをきつく挟んで固定する。
【０００７】
さらなる技術プランには、前記固定装置は前記固定板の上端面の中に左右対称的に設置され、且つ上方に開口したスライドチャンバを含み、前記スライドチャンバの中にはネジロッドが回転できるように設置され、前記ネジロッドのうち二つの前記スライドチャンバの中の部分のネジ山の方向が逆であり、前記スライドチャンバの中には前記ネジロッドにネジ山によって連結されたスライドブロックが設置され、前記スライドブロックの上端には昇降ロッドが回転できるように連結され、前記固定板の上側には挟み板が設置され、二本の前記昇降ロッドの上端が互いに交差しており、かつそれぞれ前記挟み板の下壁に回転できるように連結され、前記昇降ロッドの交差の部分は回転できるように連結され、前記固定板の右側のうち前記主体の中に位置しているところの中にはプーリチャンバが設置され、前記ネジロッドの右端が前記プーリチャンバの中に伸びており、また前記ネジロッドの右端には従動プーリが固定的に連結され、前記従動プーリの上側には主動プーリが回転できるように設置され、前記従動プーリと前記主動プーリとの間には伝動ベルトが巻き付くように設置され、前記主体がデスクに置かれ、前記挟み板が上昇してデスクの下端をきつく挟み、更に本装置を固定する。
【０００８】
さらなる技術プランには、前記切換装置は前記巻きチャンバの上側に設置された制御チャンバを含み、前記制御チャンバの中には梃子が回転できるように設置され、前記制御チャンバの左側には昇降チャンバが連通するように設置され、前記昇降チャンバの中には前記スライドロッドの上端に固定的に連結された昇降ブロックが設置され、前記梃子の左端が前記昇降ブロックの上端面と当接しており、前記昇降ブロックの下端と前記昇降チャンバの下壁には圧縮バネが固定的に連結され、前記梃子の右側にはカムが設置され、前記カムの上端には回転軸が固定的に連結され、前記回転軸の上端が外部空間に伸びており、且つ前記回転軸の上端には回転盤が固定的に連結され、前記カムの中には環状スライドレールが設置され、前記環状スライドレールの中にはスライドボールがスライドできるように設置され、前記スライドボールの一端には固定ロッドが固定的に連結され、前記制御チャンバの右側にはコンロッドチャンバが設置され、前記コンロッドチャンバの中には主動ロッドが設置され、前記主動ロッドの左端が前記固定ロッドに固定的に連結され、前記主動ロッドの右端にはコンロッドがヒンジで連結され、前記コンロッドの下端には昇降板がヒンジで連結され、前記回転盤によって前記カムを回転連動させる。
【０００９】
さらなる技術プランには、前記調節装置は前記コンロッドチャンバの下側に設置された切換チャンバを含み、前記昇降板の下端が前記切換チャンバの中に伸びており、また前記昇降板の下端には同期軸が回転できるように設置され、前記同期軸の左端には動力はすば歯車が固定的に設置され、前記動力はすば歯車の上側には前記主動スパーギヤに動力が伝達できるように連結された伝動はすば歯車が設置され、前記同期軸の右端には動力スパーギヤが固定的に設置され、前記切換チャンバの下側には歯車チャンバが連通するように設置され、前記歯車チャンバの中には前記主動プーリに動力が伝達できるように連結された伝動スパーギヤが回転できるように設置され、前記切換チャンバの右側には開口が連通するように設置され、前記動力スパーギヤの右端には動力軸が固定的に連結され、前記動力軸の右端が外部空間に伸びており、且つ前記つまみに固定的に連結され、前記昇降板を昇降させることによって異なる歯車の間の噛み合いを切り換え、前記つまみを回して前記挟み板の上昇の高度と前記マウスパッドの長さを調節する。
【発明の効果】
【００１０】
本発明の有益な効果は：本発明は構成が簡単で、操作が便利であり、本装置を利用してマウスパッドを収納することができ、それと同時にマウスパッドを調節してデスクに取り付けることができ、またニーズに応じてマウスパッドの長さを調節できる。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のマウスパッドの固定と調節装置の内部全体構成概略図
【図２】図２は図１の中の「Ａ―Ａ」方向の構成概略図
【図３】図３は図１の中の「Ｂ」の拡大概略図
【図４】図４は図１の中の「Ｃ」の拡大概略図
【発明を実施するための形態】
【００１３】
図１〜４を参照し、本発明の実施例のマウスパッドの固定と調節装置は、主体１１を含み、前記主体１１の中には巻き装置１０１が設置され、前記主体１１の下側には固定装置１０２が設置され、前記巻き装置１０１の上側には切換装置１０３が設置され、前記巻き装置１０１の右側には調節装置１０４が設置され、前記巻き装置１０１はマウスパッド１２を巻く長さを制御し、また前記マウスパッド１２一端をきつく挟んで長さを固定することができ、前記固定装置１０２は本装置をデスクに固定し、デスクの厚さによって調節を行え、前記切換装置１０３は前記マウスパッド１２を挟む程度を制御し、同時に前記調節装置１０４を切り換えて制御し、前記調節装置１０４の中のつまみ１３は前記巻き装置１０１と前記固定装置１０２とを調節することができ、前記主体１１の中には巻きチャンバ１４が設置され、前記マウスパッド１２は前記巻きチャンバ１４の中に収納されることができ、前記主体１１の下端には固定板１５が固定的に設置され、前記固定装置１０２が前記固定板１５に設置され、前記切換装置１０３によって前記調節装置１０４が前記巻き装置１０１と前記固定装置１０２との連結を切り換え、前記調節装置１０４によって前記巻き装置１０１又は前記固定装置１０２を調節する。
【００１４】
有益なように、前記巻き装置１０１は前記巻きチャンバ１４の中に回転できるように設置された巻き輪１６を含み、前記マウスパッド１２の一端が前記巻き輪１６に巻き付いており、前記巻きチャンバ１４の下側には前記巻きチャンバ１４の前後壁に回転できるように連結された方向ガイド輪１７が設置され、前記巻きチャンバ１４の下側には左方に開口した伸縮チャンバ１８が連通するように設置され、前記マウスパッド１２のもう一端が外部空間に伸びており、また前記マウスパッド１２のもう一端には止め板１９が固定的に連結され、前記伸縮チャンバ１８の上側には押しロッドチャンバ２０が連通するように設置され、前記押しロッドチャンバ２０の中には押しロッド２１がスライドできるように設置され、前記押しロッド２１の上端にはスライドロッド２２が固定的に連結され、前記巻きチャンバ１４の後側には噛み合いチャンバ２３が設置され、前記噛み合いチャンバ２３の中には前記巻き輪１６に動力が伝達できるように連結された従動スパーギヤ２４が回転できるように設置され、前記従動スパーギヤ２４の右端には主動スパーギヤ２６が設置され、前記従動スパーギヤ２４によって前記マウスパッド１２を巻き、前記押しロッド２１によって前記マウスパッド１２をきつく挟んで固定する。
【００１５】
有益なように、前記固定装置１０２は前記固定板１５の上端面の中に左右対称的に設置され、且つ上方に開口したスライドチャンバ２７を含み、前記スライドチャンバ２７の中にはネジロッド２８が回転できるように設置され、前記ネジロッド２８のうち二つの前記スライドチャンバ２７の中の部分のネジ山の方向が逆であり、前記スライドチャンバ２７の中には前記ネジロッド２８にネジ山によって連結されたスライドブロック２９が設置され、前記スライドブロック２９の上端には昇降ロッド３０が回転できるように連結され、前記固定板１５の上側には挟み板３１が設置され、二本の前記昇降ロッド３０の上端が互いに交差しており、かつそれぞれ前記挟み板３１の下壁に回転できるように連結され、前記昇降ロッド３０の交差の部分は回転できるように連結され、前記固定板１５の右側のうち前記主体１１の中に位置しているところの中にはプーリチャンバ３２が設置され、前記ネジロッド２８の右端が前記プーリチャンバ３２の中に伸びており、また前記ネジロッド２８の右端には従動プーリ３３が固定的に連結され、前記従動プーリ３３の上側には主動プーリ３４が回転できるように設置され、前記従動プーリ３３と前記主動プーリ３４との間には伝動ベルト３５が巻き付くように設置され、前記主体１１がデスクに置かれ、前記挟み板３１が上昇してデスクの下端をきつく挟み、更に本装置を固定する。
【００１６】
有益なように、前記切換装置１０３は前記巻きチャンバ１４の上側に設置された制御チャンバ３６を含み、前記制御チャンバ３６の中には梃子３７が回転できるように設置され、前記制御チャンバ３６の左側には昇降チャンバ３８が連通するように設置され、前記昇降チャンバ３８の中には前記スライドロッド２２の上端に固定的に連結された昇降ブロック３９が設置され、前記梃子３７の左端が前記昇降ブロック３９の上端面と当接しており、前記昇降ブロック３９の下端と前記昇降チャンバ３８の下壁には圧縮バネ４０が固定的に連結され、前記梃子３７の右側にはカム４１が設置され、前記カム４１の上端には回転軸４２が固定的に連結され、前記回転軸４２の上端が外部空間に伸びており、且つ前記回転軸４２の上端には回転盤４３が固定的に連結され、前記カム４１の中には環状スライドレール４４が設置され、前記環状スライドレール４４の中にはスライドボール４６がスライドできるように設置され、前記スライドボール４６の一端には固定ロッド４７が固定的に連結され、前記制御チャンバ３６の右側にはコンロッドチャンバ４８が設置され、前記コンロッドチャンバ４８の中には主動ロッド４９が設置され、前記主動ロッド４９の左端が前記固定ロッド４７に固定的に連結され、前記主動ロッド４９の右端にはコンロッド５０がヒンジで連結され、前記コンロッド５０の下端には昇降板５１がヒンジで連結され、前記回転盤４３によって前記カム４１を回転連動させる。
【００１７】
有益なように、前記調節装置１０４は前記コンロッドチャンバ４８の下側に設置された切換チャンバ５２を含み、前記昇降板５１の下端が前記切換チャンバ５２の中に伸びており、また前記昇降板５１の下端には同期軸５３が回転できるように設置され、前記同期軸５３の左端には動力はすば歯車５４が固定的に設置され、前記動力はすば歯車５４の上側には前記主動スパーギヤ２６に動力が伝達できるように連結された伝動はすば歯車５５が設置され、前記同期軸５３の右端には動力スパーギヤ５６が固定的に設置され、前記切換チャンバ５２の下側には歯車チャンバ５７が連通するように設置され、前記歯車チャンバ５７の中には前記主動プーリ３４に動力が伝達できるように連結された伝動スパーギヤ５８が回転できるように設置され、前記切換チャンバ５２の右側には開口５９が連通するように設置され、前記動力スパーギヤ５６の右端には動力軸６０が固定的に連結され、前記動力軸６０の右端が外部空間に伸びており、且つ前記つまみ１３に固定的に連結され、前記昇降板５１を昇降させることによって異なる歯車の間の噛み合いを切り換え、前記つまみ１３を回して前記挟み板３１の上昇の高度と前記マウスパッド１２の長さを調節する。
【００１８】
初期状態にある時、昇降板５１が中間の位置にしており、動力はすば歯車５４と伝動はすば歯車５５とが噛み合っており、動力スパーギヤ５６と伝動スパーギヤ５８とが噛み合っておらず、主動ロッド４９が中間の位置にある。
【００１９】
使用の時、主体１１をデスクに置き、挟み板３１をデスクの下側に置き、回転盤４３を回転させ、この時にカム４１の突き出た部分が主動ロッド４９と当接し、また主動ロッド４９を押し動かして右方へ移動させ、コンロッド５０によって昇降板５１を下方へ動力スパーギヤ５６と伝動スパーギヤ５８と噛み合うまで移動連動させ、つまみ１３を回し、動力スパーギヤ５６と動力はすば歯車５４とを回転連動させ、この時に伝動スパーギヤ５８が回転し、且つ主動プーリ３４を回転連動させ、伝動ベルト３５によって従動プーリ３３を回転連動させ、またネジロッド２８を回転連動させ、ねじ山による連結を通してスライドブロック２９を連動させて互いに近づかせ、昇降ロッド３０が挟み板３１をデスクの下端をきつく挟むまで上昇連動させ、止め板１９を引き動かしてマウスパッド１２を所要の長さまで引き出し、回転盤４３を回転させ、この時にカム４１の突き出た部分が左端に回転し、また梃子３７の右端を押し動かして上方へ回転させ、この時に梃子３７の左端が下方へ反転し、また昇降ブロック３９を押し動かして下方へ移動させ、この時に押しロッド２１が下方へ移動してマウスパッド１２をきつく挟み、マウスパッドを収納する時、初期状態の下でつまみ１３を回転させ、動力はすば歯車５４が伝動はすば歯車５５を回転連動させ、また主動スパーギヤ２６を回転連動させ、従動スパーギヤ２４を回転連動させ、また巻き輪１６を回転連動させ、マウスパッド１２を巻く。
【００２０】
本発明の有益な効果は：本発明は構成が簡単で、操作が便利であり、本装置を利用してマウスパッドを収納することができ、それと同時にマウスパッドを調節してデスクに取り付けることができ、またニーズに応じてマウスパッドの長さを調節できる。
【００２１】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。